(57)【要約】【課題】給水部の高さを確保して放出部の高さを抑えつつ、より多くの表面積を確保して加湿量を増加させることが可能な自然蒸発式加湿器に用いられるシート状部材を提供する。【解決手段】毛細管現象により水を吸い上げ可能な毛細管構造を有し、自然蒸発式加湿器に用いられるシート状部材Ｓは、所定巾を有する長尺状の本体部を放出部Ｈとし、本体部の巾方向で所定間隔ごとに巾方向外側に向けて交互に延出した突起部を給水部Ｋとする。本体部の長尺方向に、所定間隔で交互に形成された折り線Ｏは、本体部の巾方向の所定範囲に所定長さで折り曲げるための山折り線と谷折り線で、山折り線と谷折り線は所定長さで角度が異なって交互に形成され、山折り線と谷折り線の延長方向で外周端部側には切り込み部Ｃが形成されている。【選択図】図１
2015028414.tif 000002
【特許請求の範囲】
【請求項１】
毛細管現象により水を吸い上げ可能な毛細管構造を有し、自然蒸発式加湿器に用いられるシート状部材であって、
前記シート状部材は、所定巾を有する長尺状の本体部を放出部とし、前記本体部の巾方向で所定間隔ごとに巾方向外側に向けて交互に延出した突起部を給水部とし、
前記本体部の長尺方向に、所定間隔で交互に形成された折り線を有し、
前記折り線は、前記本体部の巾方向の所定範囲に所定長さで折り曲げるための山折り線と谷折り線であり、
前記山折り線と前記谷折り線は所定長さで角度が異なって交互に形成されていることを特徴とするシート状部材。
【請求項２】
前記山折り線と前記谷折り線の延長方向で外周端部側には切り込み部が形成されていることを特徴とする請求項１に記載のシート状部材。
【請求項３】
前記切り込み部は、前記折り線に連続された直線状或いは曲線状の切り込みとなっていることを特徴とする請求項２に記載のシート状部材。
【請求項４】
前記山折り線又は前記谷折り線は、前記本体部の長尺方向の中心線に対して、一つおきに同じ角度で形成されていることを特徴とする請求項１乃至３のいずれか１項に記載のシート状部材。
【請求項５】
前記給水部は複数形成され、各給水部は、前記放出部より狭い所定巾で同じ形状をしており、前記複数の給水部を重ねたときに同じ形状になるように形成されていることを特徴とする請求項１乃至４のいずれか１項に記載のシート状部材。
【請求項６】
前記給水部を構成する巾方向外側に向けて延出した突起部には、本体部の長尺方向と同様方向に広がった巾広部を有することを特徴とする請求項１乃至５のいずれか１項に記載のシート状部材。
【請求項７】
前記山折り線と前記谷折り線によって、前記シート状部材が、以下の（１）〜（５）の領域が形成されていることを特徴とする請求項１乃至６のいずれか１項に記載のシート状部材。
（１）前記本体部の長尺方向に対して斜め方向に形成されたカット線或いは第１折り線と、カット線或いは第１折り線に対して、所定間隔をおいて、角度を異にする谷折り又は山折りの第２折り線によって区切られて形成された第１領域。
（２）前記第１領域に連続して、前記第２折り線と所定間隔をおいて、前記第２折り線に対して角度を異にする山折り又は谷折りの第３折り線によって区切られて形成された第２領域。
（３）前記第２領域に連続して、前記第３折り線と所定間隔をおいて、前記第３折り線に対して角度を異にする谷折り又は山折りの第４折り線によって区切られて形成された第３領域。
（４）前記第２領域と前記第３領域を順次繰り返す繰り返し領域。
（５）前記本体部の長尺方向の中心線に対して前記第１領域と対称となるように形成された第４領域。
【請求項８】
毛細管現象により水を吸い上げ可能な毛細管構造からなるシート状部材を用いた自然蒸発式加湿器であって、
前記請求項１乃至７のいずれか１項に記載のシート状部材を折り線で折り曲げて形成された放出部及び給水部と、
前記給水部となる突起部を束ねて拘束部材で係止し、前記放出部が、前記給水部を基準として展開するように構成したことを特徴とする自然蒸発式加湿器。
【請求項９】
毛細管現象により水を吸い上げ可能な毛細管構造からなるシート状部材を用いた自然蒸発式加湿器であって、
前記請求項１乃至７のいずれか１項に記載のシート状部材を折り線で折り曲げて形成された放出部及び給水部と、
前記給水部を束ねて拘束部材で係止すると共に、前記給水部となる突起部に連続して長尺な給水部材を係合させ、前記放出部が、前記給水部を基準として展開するように構成したことを特徴とする請求項８に記載の自然蒸発式加湿器。
【請求項１０】
前記拘束部材は、中心に前記給水部の突起部を挿入可能な開口部が形成された所定形状領域を多数長尺方向に形成して構成され、所定形状領域と隣接する所定形状領域との間には折り曲げ線である山折り線と谷折り線が交互に形成され、所定形状領域は開口部を合わせて蛇腹状に形成してなることを特徴とする請求項８又は９に記載の自然蒸発式加湿器。
【請求項１１】
前記開口部が複数形成された所定形状領域は、開口部が形成された部分の外形の大きさが異なることを特徴とする請求項１０に記載の自然蒸発式加湿器。
【請求項１２】
前記長尺な給水部材には、巾広方向に拡張する抜け止め部が形成されていることを特徴とする請求項９に記載の自然蒸発式加湿器。
【発明の詳細な説明】
【技術分野】
【０００１】
本発明は、毛細管現象により水を吸い上げ可能な毛細管構造を有し、自然蒸発式加湿器として好適に形成されるように構成されたシート状部材及びこのシート状部材を用いた自然蒸発式加湿器に関する。
【背景技術】
【０００２】
従来、自然蒸発式加湿器として、一枚の円環状シート部材を蛇腹状に折り畳んで、開いたときに表面積を大きくして、加湿量を確保した技術が知られている（特許文献１）。
特許文献１の技術によれば、図２２及び図２３で示すように、一枚のシート状部材で給水部と加湿部が形成されているもので、給水部はシート状部材の一方の端部側が、複数の折り線に沿って折り畳まれて貯留した水に漬けられることにより、当該シート状部材の前記一方の端部側より上側に配置される部分に水を供給し、加湿部は当該一方の端部側より上側が毛細管現象により吸い上げた水を自然蒸発するものである。
そしてシート状部材は、加湿部が膨らんだ状態となるように、加湿部には、給水部の折り線に連続する曲線状の折り線に沿って緩やかに折り曲げられる折り曲げ部が設けられ、加湿部は給水部側で支持されているものである。
【０００３】
このように、水に漬けられる給水部が折り畳まれた状態となっているので、シート状部材の広い面積の部分をコンパクトにして水につけて給水部とすることができる。すなわち、コンパクトな形状でもシート状部材の比較的大きな面積部分を給水部として機能させることができ、これにより給水部に高い給水性能を持たせることができる。また、給水部に対して加湿部が拡がった形状とされるので、水を蒸発させる加湿部の面積も十分に確保できるとともに、上述のようにコンパクトにされた給水部でも十分な給水量を確保できるので、広い面積の加湿部における水の蒸発量に見合った分の水を供給できる、という優れた作用効果を奏するものであった。
【先行技術文献】
【特許文献】
【０００４】
【特許文献１】国際公開第２０１０／０３２４３８号
【発明の概要】
【発明が解決しようとする課題】
【０００５】
特許文献１で示す技術では、図２３で示すような比較的低い容器であれば、シート状部材（不織布）の吸い上げ限界高さに対して、放出部の高さを充分に取ることが可能で、かつ、図２２で示すシート状部材の展開図の折り目を増し、充分な放出の為の表面積を確保することが可能である。
【０００６】
しかし、水を蓄える容器として、図２３で示す容器であれば、放出部の高さを充分に取れるが、ペットボトル等の比較的高さがある容器に使用する場合、給水部を大きく取ると、放出部が大きく取れないだけでなく、特許文献１の構成では、吸い上げ限界高さに制限されて、放出部の高さを充分に取れないことになり、加湿量も少なくなってしまうため、水を蓄える容器が浅いものに利用が限定され、容器のデザインに高さ方向の制限があるという課題があった。
【０００７】
換言すると、一般に、給水性のあるシート状部材において、毛細管現象を利用して水を吸い上げようとした場合、水面より上方に行くにしたがって水の上昇速度は遅くなる。実使用範囲としては、水面より２００ｍｍ（吸い上げ高さ限界）程度に抑えることになる。このため、ペットボトル等の比較的高さのある容器に対しては、吸い上げ高さの限界があるので、シート状部材の放出部の高さを抑えなければならないという制限がある。シート状部材の給水部の高さを大きくすると、給水部に多くの部分を取られるために、放出部の高さが小さくなり、放出時の表面積が不足し、加湿量が少なくなるという課題があった。
【０００８】
本発明の目的は、給水部の高さを確保して放出部の高さを抑えつつ、より多くの表面積を確保して加湿量を増加させることが可能なシート状部材及び自然蒸発式加湿器を提供することにある。
また本発明の他の目的は、水を蓄える容器の高さを高くでき、水の容量を増加させて、長期間に渡って加湿することが可能にできるシート状部材及び自然蒸発式加湿器を提供することにある。
【課題を解決するための手段】
【０００９】
前記課題は、本発明に係るシート状部材によれば、毛細管現象により水を吸い上げ可能な毛細管構造を有し、自然蒸発式加湿器に用いられるシート状部材であって、前記シート状部材は、所定巾を有する長尺状の本体部を放出部とし、前記本体部の巾方向で所定間隔ごとに巾方向外側に向けて交互に延出した突起部を給水部とし、前記本体部の長尺方向に、所定間隔で交互に形成された折り線を有し、前記折り線は、前記本体部の巾方向の所定範囲に所定長さで折り曲げるための山折り線と谷折り線であり、前記山折り線と前記谷折り線は所定長さで角度が異なって交互に形成されていること、により解決される。
本発明は、本体部の長尺方向に、所定間隔で交互に形成された折り線を有し、前記折り線は、前記本体部の巾方向の所定範囲に所定長さで折り曲げるための山折り線と谷折り線で構成されているので、折り線に沿って本体部を折り曲げることにより、放出部（加湿部）が形成できるが、このとき、山折り線と谷折り線は所定長さで角度が異なって交互に形成されているので、折り曲げると、円環の螺旋状に折り曲げることになる。
【００１０】
また、前記山折り線と前記谷折り線の延長方向で外周端部側には切り込み部が形成されていると、好適である。
このように、山折り線と谷折り線の延長方向で外周端部側に切り込み部を形成することにより、折り曲げるときに切り込み部により、外周端部側が広がり、容易に円環の螺旋状に折り曲げることができる。
【００１１】
このとき、前記切り込み部は、前記折り線に連続された直線状或いは曲線状の切り込みとなっていると、好適である。
このように、切り込み部が、前記折り線に連続された直線状或いは曲線状の切り込みにすると、折り曲げた時に、重なりができずに、曲線と直線によって、バリエーションに富んだ花びらなどの形状にすることが可能となり、デザイン性に優れたものとなる。
【００１２】
また、前記山折り線又は前記谷折り線は、前記本体部の長尺方向の中心線に対して、一つおきに同じ角度で形成されていると、好適である。
このように、一つおきに同じ角度で形成されているので、折り曲げるときに、規則的な折り曲げが可能となり、放出部が一定の規則に基づいた形状として形成することが可能となる。
【００１３】
さらに、前記給水部は複数形成され、各給水部は、前記放出部より狭い所定巾で同じ形状をしており、前記複数の給水部を重ねたときに同じ形状になるように形成されていると、好適である。
このように、折り曲げて給水部を重ねるようにできるので、給水部が同じ形状で重ねることができて、放出部を支える給水部に強度を確保できるとともに、折り曲げるときに、給水部を目安として重ねるようにして円環の螺旋状に折り曲げることが容易となる。
【００１４】
さらにまた、前記給水部を構成する巾方向外側に向けて延出した突起部には、本体部の長尺方向と同様方向に広がった巾広部を有するように構成すると、好適である。
このように突起部に、本体部の長尺方向と同様方向に広がった巾広部を有するように構成すると、給水部を容器、特に口の小さな容器に入れたときに、容器内部で広がり、容器の口の付け根に引っ掛かり抜け止めとなる。
【００１５】
また、より具体的には、シート状部材は、前記山折り線と前記谷折り線によって、前記シート状部材が、以下の（１）〜（５）の領域が形成されているように構成するとよい。
（１）前記本体部の長尺方向に対して斜め方向に形成されたカット線或いは第１折り線と、カット線或いは第１折り線に対して、所定間隔をおいて、角度を異にする谷折り又は山折りの第２折り線によって区切られて形成された第１領域。
（２）前記第１領域に連続して、前記第２折り線と所定間隔をおいて、前記第２折り線に対して角度を異にする山折り又は谷折りの第３折り線によって区切られて形成された第２領域。
（３）前記第２領域に連続して、前記第３折り線と所定間隔をおいて、前記第３折り線に対して角度を異にする谷折り又は山折りの第４折り線によって区切られて形成された第３領域。
（４）前記第２領域と前記第３領域を順次繰り返す繰り返し領域。
（５）前記本体部の長尺方向の中心線に対して前記第１領域と対称となるように形成された第４領域。
このように、本体部を第１領域から第４領域に区切られた各領域とし、各領域を単位として折り曲げることにより、本体部を円環の螺旋状に折り曲げることが、より可能となる。また各領域に、円環の螺旋状に折り曲げることを確保して、領域の大きさを変化させることが可能となり、よりバラエティに富んだ放出部を構成することが可能となる。
【００１６】
前記課題は、本発明に係る自然蒸発式加湿器によれば、毛細管現象により水を吸い上げ可能な毛細管構造からなるシート状部材を用いた自然蒸発式加湿器であって、前記請求項１乃至７のいずれか１項に記載のシート状部材を折り線で折り曲げて形成された放出部及び給水部と、前記給水部となる突起部を束ねて拘束部材で係止し、前記放出部が、前記給水部を基準として展開するように構成した、ことにより解決される。
このように、請求項１乃至７のいずれか１項に記載のシート状部材を折り線で折り曲げて形成された放出部及び給水部としているので、請求項１乃至７の作用効果を利用できると共に、円環の螺旋状に折り曲げた放出部を、給水部となる突起部を束ねて拘束部材で係止しているので、給水部が一か所で重なり螺旋状に折り曲げられた放出部を支持する強度を確保できる。同時に円環の螺旋状に折り曲げられた放出部が全体として大きく広がるように構成することができ、加湿を十分に確保することが可能となる。特に、コップの自然蒸発量に比して、自然蒸発量は約１０倍の放出量（加湿量）が可能となる。
【００１７】
このとき、毛細管現象により水を吸い上げ可能な毛細管構造からなるシート状部材を用いた自然蒸発式加湿器であって、前記請求項１乃至７のいずれか１項に記載のシート状部材を折り線で折り曲げて形成された放出部及び給水部と、前記給水部を束ねて拘束部材で係止すると共に、前記給水部となる突起部に連続して長尺な給水部材を係合させ、前記放出部が、前記給水部を基準として展開するように構成すると、好適である。
このように、給水部となる突起部に連続して長尺な給水部材を係合させているので、より水を蓄える容器がより高さ（水面から深い）がある容器にも、十分取り付けることが可能であり、吸い上げ部と放出部とが別パーツとなり、様々な色の組み合わせが可能となり、バラエティに富んだ加湿のために容器を適用することが可能となる。
【００１８】
前記拘束部材は、中心に前記給水部の突起部を挿入可能な開口部が形成された所定形状領域を多数長尺方向に形成して構成され、所定形状領域と隣接する所定形状領域との間には折り曲げ線である山折り線と谷折り線が交互に形成され、所定形状領域は開口部を合わせて蛇腹状に形成すると、好適である。
このように、蛇腹状の拘束部材が放出部の左右ブレを軽減すると共に、この蛇腹状の拘束部材が軽減スプリングのような働きをして、ボトルの口部分の高さが異なる場合でも上下ブレを軽減することができる。これにより、水を入れた状態でボトルを左右にシェイクしても水がこぼれないだけでなく、ボトルが不意に倒れたときもこぼれる量を抑えることが可能となる。
【００１９】
また、前記開口部が複数形成された所定形状領域は、開口部が形成された部分の外形の大きさが異なるように構成するとよい。
このように外形を異ならしめることにより、拘束部材の形状が変化し、デザイン性に富んだものとすることができる。
【００２０】
また、前記長尺な給水部材には、巾広方向に拡張する抜け止め部が形成されていると好適である。このように抜け止め部が形成されていると、ボトル内部でこの抜け止め部が広がり、ボルトの口部分の付け根に引っ掛かるので、シート状部材が抜け出るのを防止することができる。
【発明の効果】
【００２１】
本発明によれば、シート状部材の放出部の高さを抑えつつ、より多くの表面積を確保して加湿量を増加させることが可能となった。言い換えると、水を蓄える容器の高さを高くでき、水の容量が増加するため、長期間に渡って加湿することが可能となった。
このため、専用の容器ではないペットボトル等（使用済みの容器）、口元の細い容器に差して使用する加湿器であって、居室、寝室、オフィス、社内等のスペースにて使用可能となる。
【図面の簡単な説明】
【００２２】
【図１】本発明に係るシート状部材の実施態様を説明する模式図である。
【図２】本発明に係るシート状部材の実施態様を説明する説明図である。
【図３−１】シート状部材の折り方の手順を示す説明図である。
【図３−２】シート状部材の折り方の手順を示す説明図である。
【図４】結合部材の一例であるリング部材の説明図である。
【図５−１】折り線によって折る前の長尺な給水部材の説明図である。
【図５−２】折り線によって折った後の長尺な給水部材の説明図である。
【図６】給水部材の折り方の手順を示す説明図である。
【図７】折った状態のシート状部材とリング部材と給水部材との結合状態を示す説明図である。
【図８】高さの高い容器に取り付けた状態を示す説明図である。
【図９】高さが中ぐらいの容器に取り付けた状態を示す説明図である。
【図１０】他の実施形態を示すシート状部材の説明図である。
【図１１】図１０のシート状部材を折り曲げた状態を示す説明図である。
【図１２】結合部材の一例であるカバー部材の説明図である。
【図１３】折った状態のシート状部材とカバー部材と給水部材との結合状態を示す説明図である。
【図１４】自然蒸発式加湿器を示す斜視図である。
【図１５】自然蒸発式加湿器を示す斜視図である。
【図１６】自然蒸発式加湿器を示す斜視図である。
【図１７】自然蒸発式加湿器を示す斜視図である。
【図１８】自然蒸発式加湿器を示す斜視図である。
【図１９】自然蒸発式加湿器を示す斜視図である。
【図２０】自然蒸発式加湿器を示す斜視図である。
【図２１】自然蒸発式加湿器を示す斜視図である。
【図２２】従来技術を示す説明図である。
【図２３】従来技術を示す説明図である。
【発明を実施するための形態】
【００２３】
以下、本発明の実施形態を図面に基づいて説明する。なお、以下に説明する部材、材料、配置などは、本発明の説明のために用いたものであり、本発明の趣旨に反しない限り適宜変更できることは勿論である。
【００２４】
図１は、シート状部材Ｓの実施態様を説明する模式図であり、図２は、シート状部材Ｓの実施態様を説明する説明図である。
本発明のシート状部材Ｓは、自然蒸発式加湿器に用いられるもので、毛細管現象により水を吸い上げ可能な毛細管構造を有した一枚の長尺体から形成されている。
本実施形態では、シート状部材Ｓは、毛細管構造を有したもので、基本的にポリエステル系の不織布からなるものであるが、不織布に限らず、例えば、紙、織布であってもよいが、後述する折り線によって折り曲げたときに、下端部（後述の給水部Ｋもしくは放出部（加湿部）Ｈの給水部Ｋの近傍）を支持した状態で、自立可能な硬さを有するものである必要があるため、折り曲げることが可能な所定の厚さ、硬さなどを備えている必要がある。
不織布の場合は、例えば、抗菌、抗カビ性能を有するもので構成されているが、例えば、金属微粒子等の無機系、特に光触媒を構成するチタンなどを含むように加工したり、有機系の抗菌・抗カビ剤等が含有された素材により形成されている。
また、シート状部材Ｓとしては、縦横の細かな格子状の肉厚部と、格子の間となる肉厚部より薄い肉薄部とから構成してもよい。このように構成されると、表面に凹凸のある形状となり、表面積が増加し、蒸発率を高め、水の放出量を多くでき、加湿量を高めることができる。また。肉薄部により体積当たりの蒸発率を高めることができ、かつ、格子状の肉厚部により、シート状部材Ｓを全体として、薄くしても、表面の凹凸が強度を増加させて、上述のように自立可能な硬さを確保することができる。
さらに、シート状部材Ｓは、ピンク、ブルー、グリーン、その他の色を一色或いは多色用いたり、内部側の色を薄くして外周側の色を濃くしたグラデーションにしたり、自然の雰囲気を醸し出したり、逆に人工的なデザインとしたり、バリエーションに富んだものとすることができ、このシート状部材Ｓを用いた自然蒸発式加湿器は、使用者の好みやＴＰＯに合わせたものを提供することが可能である。
本実施形態のシート状部材Ｓは、放出部Ｈと、給水部Ｋと、折り線Ｏと、から構成されている。
本実施形態の放出部Ｈは、所定巾を有する長尺状の本体部であり、給水部Ｋは、放出部Ｈとしての本体部の巾方向で所定間隔ごとに巾方向外側に向けて交互に延出した突起部である。
【００２５】
折り線Ｏは、本体部Ｈの長尺方向に、所定間隔で交互に形成されている。この折り線Ｏは、本体部の巾方向の所定範囲に所定長さで折り曲げるための谷折り線Ｏ１と山折り線Ｏ２が形成されている。
谷折り線Ｏ１と山折り線Ｏ２は、本体部の巾の中央から両側へ所定長さで角度が異なって交互に形成されている。ここで、折り線Ｏは、放出部Ｈの外周側の側縁（外縁）までは至っておらず、折り線Ｏの外縁側は切れていない状態となっている。また、折り線Ｏは、折り曲げ易く形成されており、折り線Ｏを薄肉で形成したり、一つのスリット状の切れ目にしたり、一つの線（曲線）上に一列に形成された複数のスリットにしたり、ミシン目で形成したり、溝や小孔を連続させたものなど各種の手段で構成することが可能である。
【００２６】
そして、谷折り線Ｏ１と山折り線Ｏ２の延長方向で外周端部側には、切り込み部Ｃが形成されている。この切り込み部Ｃは、折り線Ｏ（Ｏ１，Ｏ２）に連続された直線状或いは曲線状の切り込みとなっている。この切り込み部Ｃがあるために、重なりを防止すると共に、外周部が折り曲げを阻止せずに、容易に折り曲げることが可能となる。また、切込み部Ｃの形状或いは外周側の形状によって、花の形状など、デザイン的な装飾を施すことが可能となる。
なお、本実施形態では、シート状部材Ｓの外周端部側に切り込み部Ｃが形成されているが、シート状部材Ｓの外周端部側には切り込み部Ｃを形成しない構成であっても構わない。
【００２７】
本実施形態の谷折り線Ｏ１又は山折り線Ｏ２は、本体部Ｈの長尺方向の中心線に対して、一つおきに同じ角度で形成されている。本実施形態では、谷折り線Ｏ１と谷折り線Ｏ１、山折り線Ｏ２と山折り線Ｏ２は、それぞれ所定間隔を置いて同じ角度で形成され、それぞれ平行四辺形に形成されている。
【００２８】
より、具体的には、シート状部材Ｓの本体部Ｈが、谷折り線Ｏ１と山折り線Ｏ２によって区切られた領域として、４種類の領域（第１領域１０、第２領域２０、第３領域３０、第４領域４０）で形成されている。つまり、図１及び図２で示すように、本体部Ｈは、次のように形成されている。
【００２９】
（１）第１領域１０は、本体部の長尺方向に対して斜め方向にカットされた端部線（隣接する領域のある場合には山折り又は谷折りの第１折り線となる）と、この端部線（第１折り線）Ｏ２に対して、所定間隔をおいて、角度を異にする谷折り又は山折りの第２折り線Ｏ２によって区切られて形成されている。具体的には、第１領域１０はカットされた端部線１（第１折り線Ｏ２）と第２折り線２，２１（谷折り線Ｏ１）によって、区切られている。なお、第１領域１０には、後述する給水部Ｋとなる突起部が形成されている。
【００３０】
（２）第２領域２０は、第１領域１０に連続して、第２折り線２，２１（Ｏ１）と所定間隔をおいて、第２折り線２，２１（Ｏ１）に対して角度を異にする山折り又は谷折りの第３折り線２２，３１（Ｏ２）によって区切られて形成されている。本実施形態では、第３折り線２２，３１（Ｏ２）は山折り線となっている。
【００３１】
（３）第３領域３０は、第２領域２０に連続して、第３折り線２２，３１（Ｏ２）と所定間隔をおいて、第３折り線２２，３１（Ｏ２）に対して角度を異にする谷折り又は山折りの第４折り線３２，２１（Ｏ１）によって区切られて形成されている。本実施形態では、第４折り線３２，２１（Ｏ１）は谷折り線となっている。
【００３２】
本実施形態では、１番目の領域〜５番目の領域まで、１番目が第１領域１０、２番目が第２領域２０、３番目が第３領域３０、４番目が第２領域２０、５番目が第３領域３０と順に形成され、６番目の領域として第４領域４０が形成されている。具体的には、第４領域４０は、谷折り線３２，４１（Ｏ１）と所定間隔をおいて、山折り線４２（Ｏ２）で区切られた領域となっている。この第４領域４０は、本体部Ｈの長尺方向の中心線に対して第１領域１０と対称となるように形成されている。つまり給水部Ｋは、第１領域１０と第４領域４０では、１８０°対向して形成されている。
【００３３】
そして、第１領域１０、第２領域２０、第３領域３０、第２領域２０と第３領域３０を順次繰り返す領域、第４領域４０の順に区切られ、１番目の領域〜６番目の領域を複数回繰り返しで形成されている。そして、本実施形態では、６つの領域で１８０°回転させているために、Ｏ２で示される折り線（斜めの折り線）は、４５°より大きな角度で形成されており、これによって、展開したときの隣接する領域との距離や密度を調整することが可能となる。なお、斜めの折り線は、折り曲げる領域の数を１８０°で除した角度より大きな角度とするとよい。
また、各領域において、領域を規定するのは、所定間隔をおいて形成された折り線であるため、外周側の形状は同一の領域であっても、全く同一である必要がなく、花びらの形状の変形をもたらすように、変形させて形成してもよい。このため図１の模式図では同一の直線としているが、図２以降の実施形態では、外周側の形状が異なる部分が存在するのは勿論である。
【００３４】
本実施形態では、第１領域１０と第４領域４０に、給水部Ｋである突起部がそれぞれ一つ形成されており、第１領域１０と第４領域４０に合わせて複数形成されている。本実施形態の各給水部Ｋは、放出部Ｈより狭い所定巾で同じ形状をしている。そして、複数の給水部Ｋを重ねたときに同じ形状になるように形成されている。
【００３５】
具体的には、図１及び図２で示すように、給水部Ｋは、第１領域１０、第４領域４０において、突起部として形成されており、本体部Ｈの巾方向で、第１領域１０と第４領域４０では、巾方向外側（図１及び図２で示すように互いに反対側）に向けて交互に延出した突起部として形成されている。この給水部Ｋは、放出部Ｈと連続して形成された支柱部３と、この支柱部３と連続した係止部４が形成され、この係止部４と支柱部３との境の部分には、本体部である放出部Ｈの長尺方向と同様方向に広がった巾広部５が形成されている。この巾広部５と放出部Ｈとの間に、後述する拘束部材であるリング部材５０を配置するように構成される。
【００３６】
次に、上記構成からなる毛細管現象により水を吸い上げ可能な毛細管構造からなるシート状部材Ｓを用いた自然蒸発式加湿器１００について説明する。
先ず、図２で示すシート状部材Ｓは、第１領域１０、第２領域２０、第３領域３０、第２領域２０と第３領域３０を順次繰り返す領域、第４領域４０の順に区切られ、１番目の領域〜６番目の領域を複数回繰り返しで形成されているが、それぞれの領域を区切って形成されている折り線に沿って折り曲げて形成する。この折り曲げ方を図３−１及び図３−２に基づいて説明する。
【００３７】
図３−１及び図３−２の（ａ）〜（ｊ）は、折り方の手順を示す説明図である。なお、ここでは、それぞれ説明の便宜上、シート状部材Ｓを部分的に表している。
（ａ）は折り曲げる前のシート状部材Ｓの状態を示すもので、この状態から、谷折り線２，２１（Ｏ１）に沿って第１領域を折り曲げる（ｂ）。次に、山折り線２２，３１（Ｏ２）に沿って第２領域２０を折り曲げる（ｃ）。次に谷折り線３２，２１（Ｏ１）に沿って第３領域３０を折り曲げる（ｄ）。以後、前述の領域を、山折り線に沿って折り曲げ（ｅ）、谷折り線に沿って折り曲げ（ｆ）、山折り線に沿って折り曲げ（ｇ）、谷折り線に沿って折り曲げ（ｈ）、山折り線に沿って折り曲げ（ｉ）、谷折り線に沿って折り曲げる（ｊ）。このようにして、（ｊ）の折り曲げにおいて、第１領域１０の給水部Ｋが反対側の第４領域４０の給水部Ｋと重なるように、折り曲げる。これにより、複数の領域を折り曲げながら１８０°回転させるようにして、円環の螺旋状になるように折り曲げる。そして、この折り曲げを複数回繰り返すことによって、図７の（Ａ）で示すように、シート状部材Ｓは、給水部Ｋが複数重なりあって、放出部Ｈが広がるように形成される。
なお、上記のように折り曲げた場合においても、放出部Ｈの折り線では、折り線を挟むように隣接する領域の面が折り線によって１８０°折れて互いに当接するような状態とはならず、緩やかに折られた状態で、隣接する領域が離間して展開するように折り曲げるものである。そして、折り線Ｏに連続された直線状或いは曲線状の切り込みとなっているために、折り線で折り曲げるときは、シート状部材Ｓが自立できる厚さ或いは硬さを有していても、容易に折り曲げ、畳むことが可能となっている。
【００３８】
本実施形態の自然蒸発式加湿器１００は、上記のように構成されたシート状部材Ｓを折り線で折り曲げて、放出部Ｈ及び給水部Ｋが形成されている。一つ置きに平行な折り線Ｏを交互に折りたたむことにより、連続する概略三角形状の領域を重ねながら、複数の円環を形成するように形状を変更し、水分を放出するための表面積を横長手方向に確保している。このように、１枚のシート状部材Ｓを蛇腹状に折り畳んで、表面積を大きくし、加湿量を確保している。
【００３９】
つまり、交互に設置された２種の並行する折れ線を交互に折ることで円環の螺旋状となり、この円環の蛇腹が形成された領域のうち所定箇所に給水部（突起部）Ｋを形成して、給水部Ｋを束ねると、扇状に広がることになり、表面積を大きくし、加湿量を確保することができる。
そして、給水部Ｋとなる突起部を束ねて拘束部材であるリング部材５０で係止し、放出部Ｈが、給水部Ｋを基準（中心）として展開するように構成している。
このとき切込み部Ｃの形状或いは外周側の形状を種々変更することによって、ブーケ状などの花の形状、葉の形状など植物の形状にしたり、幾何学的な形状にしたり、キャラクタの形状にしたり、デザイン的に種々の装飾を施すことが可能となる。
【００４０】
図４は、拘束部材の一例であるリング部材５０を示すものである。
本実施形態のリング部材５０は、給水部Ｋを拘束する役割を担うと共にこぼれ止め部を構成するものであり、中心に給水部Ｋの突起部を挿入可能な開口部５１が複数形成されており、この開口部５１が形成された部分である所定形状領域としての円形領域５２，５２・・・を多数長尺方向に形成して構成されている。
そして、円形領域５２と隣接する円形領域５２との間には折り曲げ線５３，５４（山折り線と谷折り線、谷折り線と山折り線）が交互に形成されている。円形領域５２は開口部５１を重ね合わせて、図４で示すように、互いに交互に山折りと谷折りに折られて蛇腹状に形成されている。
【００４１】
本実施形態では、開口部５１が複数形成された円形領域５２は、開口部５１は略同じ大きさであるが、所定領域としての円形領域５２の外形は大きさが異なる。本実施形態では一方の端部が大きく、他方の端部が小さく、順に大きさを変えて構成されている。
【００４２】
また本実施形態のように、図４で示すように、円形領域５２は下に行くほど外径が小さくなることで一部を、水を蓄える容器としてボトル口に入り込ませることが可能となり、恰も軽減スプリングのような役割をして、放出部Ｈの左右ブレと、ボトルの口部分の高さが異なる場合には上下ブレを軽減することができる。また水を入れた状態でボトルを左右にシェイクしても水がこぼれないようにすることができるだけでなく、ボトルが不意に倒れたときもこぼれる量を抑えることができる。
【００４３】
なお、本実施形態では所定形状領域を円形領域としているが、矩形領域、半円状領域、星形領域など、領域を構成する外形については、デザイン性を考慮して、種々選択することが可能である。特にボトル口に入り込ませるために、ボトル口側のみを円形領域にして、その上部側を円形領域以外の形状に構成すると、水漏れを防止しつつ、デザインの自由度を高めることが可能となる。
【００４４】
本実施形態では、放出部Ｈと給水部Ｋが一体として形成されているが、別体の給水部材６０を用いることが可能である。例えば、上記実施形態では、加湿部である放出部Ｈと突起部の給水部Ｋが一体となっているが、高さのある容器（深さのある容器）の場合には、上記実施形態では、水面より下に給水部Ｋを配置することが困難な場合がある。このような場合に、別体となる給水部材６０を前述した給水部Ｋに係合させて、高さのある容器の底側に配置することで、水を吸い上げることが可能となる。
【００４５】
このように、給水部Ｋを束ねてリング部材５０で係止すると共に、給水部Ｋとなる突起部に連続して、別体で形成された長尺な給水部材６０を係合させ、放出部Ｈが、給水部Ｋを基準として展開するように構成している。そして、容器内の水が給水部Ｋで吸い上げられ放出部Ｈより水を自然蒸発させる。これにより、長時間、放出部から水分を放出して加湿することが可能となる。
【００４６】
図５−１は、別体の給水部材６０の展開図であり、図５−２は、折り曲げられた給水部材６０を示すものである。
給水部材６０は、所定巾の長尺な支柱部６１（下側部６１ａと上側部６１ｂ）と、略真ん中で巾方向に形成された谷折り線６６と、谷折り線６６の間に形成された開口部６３と、下側部６１ａと上側部６１ｂで所定巾の長尺な支柱部６１の外方に向けて形成された巾広部（膨出部）６２と、長尺な支柱部６１の上側部６１ｂの部分に形成された谷折り部６４ａと山折り部６５ａと、それぞれ谷折り部６４ａと山折り部６５ａに連続して形成された切欠き線６４，６５とから構成されている。そして、給水部材６０は、谷折り線６６で支柱６１を折り曲げて、次に谷折り部６４ａと山折り部６５ａで折り曲げて形成されている。これにより、図５−２で示すような給水部材６０が形成されている。
【００４７】
図６は、図５−１で示す給水部材６０の折り曲げ手順を示すものである。
先ず、給水部材６０は、（ａ）で示す状態から、真ん中の折り線６６によって二つに折り曲げられる（ｂ）。次に、谷折り部６４ａと山折り部６５ａに沿って、巾広部（膨出部）６２，６２を交互に折り曲げる（ｃ）。このようにして、図５−２で示すような給水部材６０を形成する。
【００４８】
このような長尺な給水部材６０には、巾広方向に拡張する巾広部（抜け止め部）６２が形成されているため、給水部材６０を折り畳んだ状態でボトル内部に挿入すると、ボトル内部で巾広部（抜け止め部）６２が広がり、ボトル口の付け根に引っかかることで自然に抜けるのを防止している。
【００４９】
図７は、自然蒸発式加湿器１００が、シート状部材Ｓで形成された放出部Ｈ及び給水部Ｋと、別体の給水部材６０と、リング部材５０により構成されていることを示す説明図である。具体的には、図７（Ａ）は分解した状態を示す説明図、図７（Ｂ）は組み立てた状態を示す説明図である。
図７に示すように、シート状部材Ｓで形成された放出部Ｈ及び給水部Ｋは、リング部材５０を取付けて、さらにリング部材５０と給水部Ｋとの間に別体の給水部材６０を配置して形成されているものである。
【００５０】
図８は、図７で示すようにして構成された自然蒸発式加湿器１００を、高さの大きい容器であるペットボトル（破線で示す）などに配置し、容器内の水に自然蒸発式加湿器１００の給水部Ｋを浸した例を示すものである。
これにより毛細管現象で給水部Ｋから、吸い上げられた水が、放出部Ｈに行き渡り、放出部Ｈから水分が気化することにより、加湿することができる。特に、コップの自然蒸発量に比して、自然蒸発量は約１０倍の放出量（加湿量）が可能となる。
このように水面から深い（背の高い）容器であっても、別体の給水部材６０によって、水分は上昇することができるので給水部Ｋへの水の供給が確保できる。また、シート状部材Ｓで形成された放出部Ｈ及び給水部Ｋのうち、放出部Ｈの高さに制限があっても、シート状部材Ｓが前述のように折り曲げられて形成されているので、表面積を大きく形成できるので、水の放出量を確保できる。
同時に、口が小さい容器であっても、リング部材５０の下側が容器内部に入り込み、容器に入っている水が、こぼれるのを防止する。
【００５１】
図９は、自然蒸発式加湿器１００を、高さが中ぐらいの容器に取り付けた状態を示すものである。
給水部材６０はシート状部材Ｓと同様な材質（毛細管現象により水を吸い上げ可能な毛細管構造を有する材料）で形成されているので、給水部材６０の下側部６１ａを折り曲げて、配置することができるので、容器としては、高さが大きいものから小さいものまで対応することが可能である。
【００５２】
図１０及び図１１は他の実施形態を示すものであり、図１０はシート状部材の説明図、図１１は図１０のシート状部材を折り曲げた状態を示す説明図である。
なお、本実施形態において、前記実施形態と同様或いは同一構成には、同一符号を付してその説明を省略する。なお図１１ではリング部材５０は省略している。
【００５３】
図２で示す前記実施形態と、図１０で示す本実施形態との相違について説明する。前記実施形態では、給水部Ｋが、放出部Ｈと連続して形成された支柱部３と、この支柱部３と連続した係止部４とにより形成され、この係止部４と支柱部３との境の部分には、本体部である放出部Ｈの長尺方向と同様方向に広がった巾広部５が形成されている。一方、本実施形態では、給水部Ｋの支柱３が、係止部４から更に延長された延長部３ａを有して形成されている。なお、折り線Ｏ、折り方等を含めて、他の構成は前記実施形態と同様である。
【００５４】
このように形成されると、図１１で示すように、給水部Ｋに延長部３ａが形成されているために、前記実施形態のように、別体の給水部材６０を用いなくても、高さの大きい容器にも対応することが可能となる。
【００５５】
また、図１２及び図１３は、さらに他の実施形態を示すものである。具体的には、図１２は、拘束部材の他の形態であるカバー部材７０を示すものであり、図１３は、自然蒸発式加湿器１００が、シート状部材Ｓで形成された放出部Ｈ及び給水部Ｋと、別体の給水部材６０と、カバー部材７０により構成されていることを示す説明図である。
【００５６】
図１２に示すように、本実施形態のカバー部材７０は、リング部材５０と同様、給水部Ｋを拘束する役割を担うと共に、こぼれ止め部を構成するものであり、略中心に給水部Ｋの突起部を挿入可能な開口部７１が形成されており、この開口部７１を三方から取り囲むように形成された３つの片７２ａ，７２ｂ，７２ｃを連結した本体部７２により構成されている。
片７２ａと隣接する他の片７２ｂ，７２ｃとの間には折り曲げ線７３（山折り線又は谷折り線）が形成されている。カバー部材７０は、本体部７２をその折り曲げ線７３に沿って、片７２ａ，７２ｂ，７２ｃが互いに重なるように折り曲げることによって形成される。
また、片７２ｂと片７２ｃとが重複する箇所には、本体部７２を折り曲げた状態の形状を保持するための固定手段が形成されている。具体的には、片７２ｂにはその外周端の一部に突出した差込部７４が形成され、片７２ｃには折り曲げ線７３に沿って折り曲げたときに片７２ｂの差込部７４に対応する位置にスリット７５が形成されている。これにより、本体部７２を折り曲げ線７３に沿って折り曲げたときに、差込部７４をスリット７５に挿入することにより片７２ｂと片７２ｃとが固定され、カバー部材７０の形状が保持される。
【００５７】
なお、本実施形態では、本体部７２は３つの片から構成されているが、これに限定されるものではない。また、形状も、機能及びデザイン性を考慮して、種々選択することが可能である。
例えば、図１３に示すように、自然蒸発式加湿器１００が一輪の花の形状をイメージしたものである場合、カバー部材７０は萼を模した形状とすることができる。このとき、放出部Ｈが花冠の形状を示し、カバー部材７０が萼の形状を示し、給水部材６０の支柱部６１が茎の形状を示し、給水部材６０の巾広部６２が葉の形状を示すので、自然蒸発式加湿器１００全体としての視覚性、デザイン性が向上する。
【００５８】
また、前記実施形態と同様、水を蓄える容器としてボトル口に入り込ませことにより、ボトル口にて放出部（加湿部）Ｈを支持する役割を担うので、放出部（加湿部）Ｈの左右ブレと、ボトルの口部分の高さが異なる場合には上下ブレを軽減することができる。また、カバー部材７０は、恰もボトルの蓋のような役割もするので、水を入れた状態でボトルを左右にシェイクしても水がこぼれないようにすることができるだけでなく、ボトルが不意に倒れたときもこぼれる量を抑えることができる。
【００５９】
図１４乃至図２１は、本発明に係る自然蒸発式加湿器１００のバリエーションを示す斜視図である。図１４乃至図２１で示す自然蒸発式加湿器１００は、各種の容器に対応することができるものである。
以上のように、本発明のシート状部材及び自然蒸発式加湿器は、ペットボトルなどの空き容器を再利用することができ、電源などが不要で、環境にやさしくエコに特化した加湿器となり、折り畳んで、図示しないチャック袋に入れておけば、折り畳んだシート状部材（自然蒸発式加湿器）が湿った状態であっても、持ち運びが可能である。また、アートカッティングデザインなどでシート状部材をデザインすると、より使用場所に適した飾りとして役割を奏することができる。
【００６０】
本発明の自然蒸発式加湿器は、水の放出量が多く、長時間放出できるので、打ち水のような潤いのリラクゼーションを長時間確保でき、のど、肌、ドライアイなどに自然（ナチュラル）な潤いを演出することができる。また本発明の自然蒸発式加湿器は、ペットボトルや空き瓶などの空き容器に入れて、オフィス・自宅・移動中・旅行中など場所を選ばすに使用することが可能である。特に本発明の自然蒸発式加湿器は、ドリンクホルダーなどを容器として使用することが可能であるので、車などの移動手段の中での加湿としても最適である。
【符号の説明】
【００６１】
１０    第１領域
２０    第２領域
３０    第３領域
４０    第４領域
１      端部線
２，２１    第２折り線
２２，３１  第３折り線
３２，４１  第４折り線
３      支柱部
３ａ    延長部
４      係止部
５      巾広部
５０    リング部材
５１    開口部
５２    円形領域
５３，５４  折り曲げ線
６０    給水部材
６１    支柱部
６１ａ  下側部
６１ｂ  上側部
６２    巾広部（膨出部，抜け止め部）
６３    開口部
６４ａ  谷折り部
６５ａ  山折り部
６６    谷折り線
７０    カバー部材
７１    開口部
７２    本体部
７２ａ，７２ｂ，７２ｃ  片
７３    折り曲げ線
７４    差込部
７５    スリット
１００  自然蒸発式加湿器
Ｈ      放出部
Ｋ      給水部
Ｏ      折り線
Ｏ１    谷折り線
Ｏ２    山折り線
Ｓ      シート状部材
Ｃ      切り込み部
【図１】
2015028414.tif 000003
【図２】
2015028414.tif 000004
【図３−１】
2015028414.tif 000005
【図３−２】
2015028414.tif 000006
【図４】
2015028414.tif 000007
【図５−１】
2015028414.tif 000008
【図５−２】
2015028414.tif 000009
【図６】
2015028414.tif 000010
【図７】
2015028414.tif 000011
【図８】
2015028414.tif 000012
【図９】
2015028414.tif 000013
【図１０】
2015028414.tif 000014
【図１１】
2015028414.tif 000015
【図１２】
2015028414.tif 000016
【図１３】
2015028414.tif 000017
【図２２】
2015028414.tif 000018
【図２３】
2015028414.tif 000019
【図１４】
2015028414.tif 000020
【図１５】
2015028414.tif 000021
【図１６】
2015028414.tif 000022
【図１７】
2015028414.tif 000023
【図１８】
2015028414.tif 000024
【図１９】
2015028414.tif 000025
【図２０】
2015028414.tif 000026
【図２１】
2015028414.tif 000027